(57)【要約】【課題】従来のアパートやマンションの玄関、事務所入口、ビルの通用口等に多く使われているのが掘込型か面付型の箱錠である。箱錠は防犯性が高く、使い易い長所がある。しかし、地震等によって扉の枠が変形すると施錠しているデットボルトに圧力が掛かり、合鍵やサムターンでは解錠出来なくなってしまう。箱錠の防犯強度と使い易さを保ち、デットボルトに圧力が掛かった状態でも解錠でき、地震の後に発生する火災から逃げられる錠を提供するのが課題である。【解決手段】従来の箱錠の構造と機構はそのままで、それにレバーハンドルを回してデットボルトを引っ込めるためのレバーハンドルとデットボルトの連動機構を加え、連動と連動解除をレバー操作で行う事で必要なときのみレバーハンドルでデットボルトを引っ込める解錠機構を提供する。【選択図】　図２
2004108109.tif 000002
【特許請求の範囲】
【請求項１】
錠ケース（２７）内にデットボルト（３）とラッチボルト（４）を有し、デットボルトを動かすダルマ（９）にシリンダー又はサムターン（７）を組み付け、デットボルトの出し入れをサムターン又はシリンダーに差し込んだ合鍵を回して行い、ラッチボルトを動かすラッチカム（２３）にレバーハンドル（８）を組み付け、ラッチボルトの引き込めはレバーハンドルを回して行う従来の一般的な箱錠の機構に加え、錠ケースに、デットボルトとレバーハンドルを連動させるための連結バー（１６）と、連結バーを動かす連結カム（１７）を組み込んだ錠で、デットボルトが突き出した状態で室内側から連結カムの連結レバー（５）を操作し、レバーハンドルを回すとデットボルトとラッチボルトが同時に引っ込む事を特徴とするレバーハンドル解錠機構。
【請求項２】
レバーハンドルを握り玉に代えた請求項１記載の解錠機構。
【請求項３】
レバーハンドルとデットボルトの連動機構の一部として、デットボルトを出し入れするダルマ（９）に連結カム（１３）を設け、レバーハンドルとの連結を連結カムで連結バー（１６）を介して行う請求項１記載のレバーハンドル解錠機構。
【請求項４】
レバーハンドルとデットボルトの連動機構の一部として、ラッチボルトを引っ込めるラッチカム（２３）に連結カムバー（２４）を設け、デットボルトとの連結を連結カムバーで連結バー（１６）を介して行う請求項１記載のレバーハンドル解錠機構。
【請求項５】
連結レバー（５）をカバーを被せ、連結レバーを操作する時はカバーを外すかカバーを破って操作する請求項１記載のレバーハンドル解錠機構。
【発明の詳細な説明】
【０００１】
【発明の属する技術分野】
地震で扉枠が変形し、錠のデットボルトに圧力が掛かった状態でも解錠出来る錠の解錠機構に関する。
【０００２】
【従来の技術】
２５年程前に私が考案したもので、パニック機能付き錠がある。これはダルマを室外ダルマと室内ダルマに分け、レバーハンドルの軸を内外分離してダルマに組み合わせ、室内側からレバーハンドルを回すと常時デットボルトとラッチボルトが引っ込むものである。これは非常時にレバーハンドルを回しただけで扉を開けられるので便利な反面、施錠状態を確認しようとして室内からレバーハンドルを回すと解錠してしまい、室内から施錠の確認が出来ない。本発明とは全く違うものである。主としてホテルロックに使用されている。
【０００３】
また、私が出願した特願２００２−１５３３４４・レバーハンドル錠機構がある。これはデットボルトを出すときも引っ込めるときもレバーハンドルを回して行うもので、施錠状態でデットボルトを引っ込めて解錠する為には、合鍵やサムターンでデットボルトの固定を解いてからレバーハンドルを回してデットボルトを引っ込めるもので、本発明とは錠の機構が全く違うものである。
【０００４】
従来の錠の一つにグレモン錠がある。グレモン錠は大型のレバーハンドルを回してデットボルトと上下のボルトを出し入れするが、ラッチボルトは無く、防音ドア等に扉を締め付ける目的で使われる。本発明とは使用目的も機構も全く違うものである
他にはレバーハンドルの操作でデットボルトを引っ込める錠は見られない。
【０００５】
【発明が解決しようとする課題】
地震で扉の枠が変形し、ねじれ、扉に圧力が加わるとその圧力が錠のデットボルトとラッチボルトに集中する。ラッチボルトが変形しない間はデットボルトとラッチボルトに集中する。ラッチボルトが変形しない間はラッチボルトが掛かっている間にデットボルトを引っ込めることは可能である。しかし、ラッチボルトの強度はデットボルトの強度より弱い。ラッチボルトが変形したり、ラッチボルトを引っ込めた後はデットボルト１本に圧力が集中し、合鍵やサムターンのツマミを指で回して解錠する事は不可能となる。もしペンチ等で合鍵やサムターンを挟んで回した場合は合鍵はねじ切れサムターンの軸もねじ切れる。
このような状態で地震直後に発生する火災から逃げるには、地震発生後数分以内に部屋から脱出しなければならない。前述のパニック機構付き錠やレバーハンドル錠機構でも対応できるが、平常時は従来の箱錠と同様の操作で施錠解錠し、非常時にレバーハンドルでデットボルトを引っ込める錠を作るのが課題である。
【０００６】
【課題を解決するための手段】
平常時は従来の箱錠としての機能で、非常時のみレバーハンドルを回してデットボルトを引っ込める為に、錠ケース内に従来の箱錠の機構をそのまま利用して、非常時にレバーハンドルとデットボルトを連動させる連結バーと、連結バーを動かして連動と切り離しを行う連結レバーを組み込んだ。
連結バーはレバーハンドル軸を受けるラッチカムに可動可能に組み付けておき、連結レバーを操作して連結バーをデットボルトを引っ込めるダルマの連結カムに連結する。
【０００７】
【発明の実施の形態】
図に基づいて説明する。まず従来の箱錠の機構を説明する。図６が従来の箱錠の機構を示す。施錠と解錠はダルマ（４６）のシリンダー軸受け（４８）に組み付けたシリンダーに差し込んだ合鍵やサムターンを回す事で、ダルマのデットカム（４７）がデットボルト（４１）を突き出し、また引っ込める。扉の開扉はラッチカム（４９）のレバーハンドル軸受け穴（５０）にレバーハンドルの軸を組み付け、レバーハンドルを回す事でラッチカムバー（５１）がラッチボルト（４３）を引っ込めて行う。
【０００８】
発明の解錠機構を説明する。解錠機構を設けた箱錠を扉に取り付けた斜視図が図１である。連結レバー（５）の向きはレバーハンドル（８）とデットボルト（３）の連結を切り離した状態である。この状態で使用すれば従来の箱錠と何ら変わらない。図１の状態で錠ケース内の機構を説明するのが図２で、図１のＡＡ断面を示す。デットボルト（３）の動きとラッチボルト（４）の動きは連動していない。この状態ではダルマ（９）がデットボルト（３）の出し入れを行い、ラッチカム（２３）がラッチボルト（４）の出し入れを行う従来の箱錠と同じ機能である。
図３がデットボルトを突き出した状態で、連結レバー（５）を回す事で連結カム（１７）が回り、連結バー（１６）を動かしてレバーハンドルとデットボルトを連動させた図である。この状態でレバーハンドルを回せばデットボルトとラッチボルトは同時に引っ込む。デットボルトはレバーハンドルの回転操作で引っ込めるので、合鍵やサムターンを回して引っ込める事と比べると非常に大きい力で引っ込めることが出来る。この錠にはレバーハンドルを操作してデットボルトを突き出す機能はない。
【０００９】
図４が連動状態でレバーハンドルを回したときの図である。請求項４記載の機構の、レバーハンドルの軸がラッチカム（２３）を回してラッチカムバー（２５）がラッチボルト（４）を引っ込めると同時に、ラッチカムの連結カムバー（２４）が連結バー（１６）を引っ張り、請求項３記載の機構の、連結バーがダルマの連結カム（１３）を引っ張ってダルマ（９）を回す事でダルマのデットカム（１２）がデットボルト（３）を引っ込める。
【００１０】
デットボルトを引っ込めた後にレバーハンドルから手を放せばレバーハンドルはハンドルバネ（２１）により定位置に戻り、連結バー（１６）は連結バー戻しバネ（１９）で元の位置に戻ると同時に、連結バーが連結カム（１７）を押して図１の状態に戻る。
連結バーと連結カムの形と位置を図のようにすれば連結カム（１７）を自動復旧させる事ができる。自動復旧機構の製作上の注意点は連結バーの先端の長さと形、デットボルトの後端、連結レバーの先端の形と寸法をうまく組み合わせて、レバーハンドルを回した時にデットボルトを確実に引っ込め、レバーハンドルから手を放した時にスムースに図１の状態に戻るようにすることである。
【００１１】
【発明の効果】
特別な機能を追加した場合、時として使いにくくなる事がある。その為に本発明では必要なときに連結レバーツマミを回してレバーンドルを回す事でデットボルトを引っ込めるようにしたものである。レバーハンドルでデットボルトを引っ込める力は回転軸から１０センチメートル以上離れて回すテコの作用と、大きいハンドルを持って回す事で大きい力が得られる。合鍵やサムターンのツマミを指で回す力に比べて非常に大きい力でデットボルトを引っ込める事ができる。扉の枠が変形してデットボルトに大きい圧力が掛かった状態でも解錠出来る確率は非常に大きい。
【００１２】
発明の機構を使った錠の特徴を説明する。機能面の特徴は、平時の施錠解錠は合鍵やサムターンを回して行う。平時でも室内側から連結レバー（５）を回してレバーハンドルで解錠できるが、平時は大きい力でデットボルトを引っ込める必要は無く、連結レバーの操作は必要無い。
地震等で扉や枠が狂い、施錠した錠のデットボルトに大きな圧力が掛かり、合鍵やサムターンの操作では力が入らずに解錠出来なくなった時に、室内側から解錠して室外に逃げる為に連結レバーを操作してレバーハンドルでデットボルトを引っ込めて解錠する。レバーハンドルは合鍵やサムターンと比べて回転軸からの長さが長く、１０センチメートル以上有り、握り易い。その為合鍵やサムターンでの操作と比べると５倍以上の力が得られ、圧力の掛かったデットボルトを引っ込める事ができる。
【００１３】
機能面の特徴は４点である。デットボルトを連動させる為に、デットボルトを動かすダルマに連結カム（１３）を設けたのが請求項３記載の機構である。レバーハンドルを連動させる為に、レバーハンドル軸を組み合わせるラッチカムに連結カムバー（２４）を設けたのが請求項４記載の機構である。
室内側から操作してレバーハンドルでデットボルトを引っ込める為に、ダルマの連結カムと、ラッチカムの連結カムバーの間に設けた、連結バー（１６）と連結カム（１７）が請求項１記載の機能である。連結バー（１６）は連結カムバー（２４）に可動状態で組み付けてある。室内側から連結レバー（５）を回す事で連結レバーを組み付けた連結カム（１７）が回り、連結バー（１６）を押して連結バーとダルマの連結カム（１３）を連結する。連結バー（１６）でラッチカムとダルマが連結され、連動することでレバーハンドルを回すとデットボルトが引っ込む。
連結状態では室内外どちらからレバーハンドルを回してもデットボルトが引っ込む。連結バーは常時操作するものではない、その度に連結レバーにカバーを被せて置き、必要な時にカバーを破るか外して操作するようにしたものが請求項５記載のものである。カバーは素手で簡単に外すか破れるものであれば良い。
【図面の簡単な説明】
【図１】発明の解錠機構を持つ錠を扉に取り付けた内観斜視図である。
【図２】図１の錠の状態を図１のＡＡ断面で示したものであり、錠ケース内の部品を示す。
【図３】施錠状態で連結レバーを操作し、レバーハンドルとデットボルトを連動させた状態を示す。
【図４】連動させた状態でレバーハンドルを回し、デットボルトを引っ込めた状態を示す。
【図５】図２の状態の錠ケースに錠ケース蓋をした図である。
【図６】従来の箱錠を説明する図で、図２と同じ状態にあたる図である。
【符号の説明】
１．　扉
２．　錠ケース・フロント
３．　デットボルト
４．　ラッチボルト
５．　連結レバー
６．　連結レバー軸
７．　サムターン
８．　レバーハンドル
９．　ダルマ
１０．　シリンダー軸受け
１１．　クリックバネ
１２．　デットカム
１３．　連結カム
１４．　ロッキングバー
１５．　連結フック
１６．　連結バー
１７．　連結カム
１８．　連結レバー軸受け
１９．　連結バー戻しバネ
２０．　ハンドルバネホルダー
２１．　ハンドルバネ
２２．　連結ロッド
２３．　ラッチカム
２４．　連結カムバー
２５．　ラッチカムバー
２６．　レバーハンドル軸受け穴
２７．　錠ケース
２８．　ラッチバネ
２９．　ロッキングピン
３０．　シリンダー・サムターン組み付け溝
３１．　錠ケース蓋
４０．　　錠ケース・フロント
４１．　　デットボルト
４２．　　クリックバネ
４３．　　ラッチボルト
４４．　　ロッキングバー
４５．　　ロッキングピン
４６．　　　ダルマ
４７．　　　デットカム
４８．　　シリンダー軸受け
４９．　　ラッチカム
５０．　　レバーハンドル軸受け穴
５１．　　ラッチカムバー
５２．　　ハンドルバネ
５３．　　錠ケース
５４．　　ラッチバネ
【図１】
2004108109.tif 000003
【図２】
2004108109.tif 000004
【図３】
2004108109.tif 000005
【図４】
2004108109.tif 000006
【図５】
2004108109.tif 000007
【図６】
2004108109.tif 000008